(57)【要約】【課題】簡易な構成により比較的小さい手荷物をトイレブース内に忘れてしまうのを防止することが可能な荷物載置器具を提供する。【解決手段】トイレブース内に配設される荷物載置器具であって、トイレブース内に設けられた施錠装置と一体化した態様で取付けられる平板状の荷物載置板を有する。この荷物載置板は、施錠装置の施錠に伴って荷物を載置可能な位置に配置され、荷物載置板から荷物が取り除かれると施錠装置の解錠が可能となる。【選択図】図１
2020204148.tif 000002
【特許請求の範囲】
【請求項１】
トイレブース内に配設される荷物載置器具であって、
トイレブース内に設けられた施錠装置と一体化した態様で取付けられる平板状の荷物載置板を有することを特徴とする荷物載置器具。
【請求項２】
前記荷物載置板は前記施錠装置の施錠に伴って荷物を載置可能な位置に配置され、当該荷物載置板から荷物が取り除かれると前記施錠装置の解錠が可能となることを特徴とする請求項１に記載の荷物載置器具。
【発明の詳細な説明】
【技術分野】
【０００１】
本発明は、荷物載置器具に関する。
【背景技術】
【０００２】
従来、一般に公共トイレやコンビニエンスストア等のトイレのトイレブースには、利用者が手荷物等を載置するための設備が設けられている。ここでいう設備とは、例えば壁面や扉面に設けられた荷物掛け用のフックや、便器とは別途設けられた手荷物を載置させるための台である。
【０００３】
一方で、利用者が手荷物を載置させるための台に携帯電話や財布等の手荷物を置き忘れてしまうことも少なくない。このような手荷物の忘れ物を防止することを目的とした考案等がなされてきた（例えば、特許文献１参照）。
【０００４】
特許文献１には、トイレの個室の空間を囲うと共に出入りするための開口が形成された開口枠と、開口を閉塞する扉と、開口に対し扉が開かないようにする施錠装置とを備えたトイレに関し、荷物を引っ掛けるためのフックと、荷物がフックに引っ掛けられると荷物の重量により扉が開かず、かつ、荷物がフックから外されると、施錠装置の施錠が自動的に解除されることにより扉を開くことを可能とする忘れ防止機構と、フックの上方の位置に設けられ、フックに掛けた荷物をフックから真上に向って取り外すことを防止する第１の盗難防止部と、を備えたものが開示されている。
【先行技術文献】
【特許文献】
【０００５】
【特許文献１】登録実用新案第３１５３３０２号明細書
【発明の概要】
【発明が解決しようとする課題】
【０００６】
上記の通り、特許文献１に開示された考案によれば、荷物がフックから外された場合にのみ施錠装置の解錠を可能とすることにより、忘れ物防止のための機能を果たすことができる。しかしながら、当該考案はフックに荷物を掛けることを前提としたものであり、フックに掛けられない手荷物、例えば携帯電話や財布等の比較的小さい手荷物に対して適用することはできなかった。
【０００７】
本発明は、上記の点に鑑みてなされたものであり、簡易な構成により比較的小さい手荷物をトイレブース内に忘れてしまうのを防止することが可能な荷物載置器具を提供することを目的とする。
【課題を解決するための手段】
【０００８】
上記の目的を達成するために、本発明に係る荷物載置器具は、トイレブース内に配設される荷物載置器具であって、トイレブース内に設けられた施錠装置と一体化した態様で取付けられる平板状の荷物載置板を有することを特徴とする。
【発明の効果】
【０００９】
本発明によれば、簡易な構成により比較的小さい手荷物をトイレブース内に忘れてしまうのを防止することができる。
【図面の簡単な説明】
【００１０】
【図１】本発明の実施形態に係る荷物載置器具の第１の具体例を示す図である。
【図２】本発明の実施形態に係る荷物載置器具の第２の具体例を示す図である。
【図３】本発明の実施形態に係る荷物載置器具の第３の具体例を示す図である。
【発明を実施するための形態】
【００１１】
以下、本発明の実施形態について説明する。
【００１２】
［第１具体例の荷物載置器具の構成］
図１は、本発明の実施形態に係る荷物載置器具の第１の具体例を示す図である。図１では、トイレブース１内の扉面１１及び壁面１２に設けられた施錠装置１３の周辺を拡大した図を簡易的に示している。
【００１３】
施錠装置１３は、扉面１１に配設される水平方向（図中横方向）にスライド可能な横長略直方体状のスライド部１３ａと、壁面１２に配設されるスライド部１３ａが差し込まれる断面コの字状のスライド受部１３ｂとから構成される、一般的な施錠装置である。
【００１４】
この施錠装置１３は、利用者がスライド部１３ａを横方向にスライドさせてスライド受部１３ｂに差し込むことによって施錠され、スライド部１３ａをスライド受部１３ｂから抜き出すことによって解錠される。
【００１５】
第１具体例に係る荷物載置器具１４は、このような施錠装置１３に一体化した態様で取付けられる平板状の荷物載置板１４ａを有する。荷物載置板１４ａは、例えば縦（図中奥行方向）約２３０ｍｍ、横（図中横方向）約１６５ｍｍ、高さ（図中高さ方向）約５０ｍｍのプラスチック等で形成され、角部が丸められた平板であり、スライド部１３ａに対して接着剤等により固設される。この荷物載置板１４ａは、約１ｋｇ程度の耐荷重を有することが好ましい。
【００１６】
利用者はトイレブース１を使用する際、当該荷物載置板１４ａの上に携帯電話や財布等の比較的小さい手荷物を載せることで、これらの手荷物が汚れてしまったり、誤ってトイレの便器に落下してしまったりするのを防止することができる。
【００１７】
また、このような荷物載置板１４ａは施錠装置１３に対して取付けられている。そのため、利用者はトイレブース１から出るために施錠装置１３を解錠する際、荷物載置板１４ａ上に載せられた手荷物を必ず確認することとなり、手荷物をトイレブース１内に忘れてしまうのを確実に防止することができる。
【００１８】
さらに、既存の施錠装置１３に対して荷物載置板１４ａを固設させる簡易な構成であるため、第１具体例に係る荷物載置器具１４はコストの面でも好適である。
【００１９】
［第２具体例の荷物載置器具の構成］
図２は、本発明の実施形態に係る荷物載置器具の第２の具体例を示す図である。図２では、トイレブース２内の扉面２１及び壁面２２に設けられた施錠装置２３の周辺を拡大した図を簡易的に示している。
【００２０】
前述の第１具体例に係る施錠装置１３（図１参照）は、スライド部１３ａとスライド受部１３ｂとを備え、スライド動作を利用して施錠及び解錠を行うものであった。これに対し、図２に示す第２具体例に係る施錠装置２３は、ラッチ２３ａを有する回転部２３ｂとストライク２３ｃとを備え、回転動作を利用して施錠及び解錠を行う。
【００２１】
施錠装置２３は、扉面２１に配設され、ラッチ２３ａを有する反時計回り（図中矢印方向）に回転可能な略円状の回転部２３ｂと、壁面２２に配設されるラッチ２３ａが差し込まれる鍵穴状のストライク２３ｃとから構成される、一般的な施錠装置である。
【００２２】
この施錠装置２３は、利用者が回転部２３ｂを回転させてラッチ２３ａをストライク２３ｃに差し込むことによって施錠され、回転部２３ｂを逆側（時計回り）に回転させてラッチ２３ａをストライク２３ｃから抜き出すことによって解錠される。
【００２３】
第２具体例に係る荷物載置器具２４は、このような施錠装置２３に一体化した態様で取付けられる平板状の荷物載置板２４ａを有する。荷物載置板２４ａは、例えば第１具体例に係る荷物載置板１３ａと同様のサイズのプラスチック等で形成された平板であり、回転部２３ｂに対して接着剤等により固設される。この荷物載置板２４ａは、約１ｋｇ程度の耐荷重を有することが好ましい。
【００２４】
このような荷物載置板２４ａは施錠装置２３に対して取付けられている。すなわち、施錠装置２３の施錠（回転部２３ｂの反時計回りへの９０度回転）に伴って、荷物載置板２４ａは荷物を載置可能な水平面を形成する位置に配置される。また、荷物載置板２４ａから荷物が取り除かれると、施錠装置２３の解錠（回転部２３ｂの時計回りへの回転）が可能となる。
【００２５】
利用者はトイレブース２を使用する際、回転部２３ｂの回転に伴い水平面を形成する位置に配置された当該荷物載置板２４ａの上に携帯電話や財布等の比較的小さい手荷物を載せることで、これらの手荷物が汚れてしまったり、誤ってトイレの便器に落下してしまったりするのを防止することができる。
【００２６】
また、利用者はトイレブース２から出るために施錠装置２３を解錠する際、荷物載置板２４ａ上に載せられた手荷物を必ず確認することとなり、手荷物をトイレブース２内に忘れてしまうのを確実に防止することができる。
【００２７】
さらに、既存の施錠装置２３に対して荷物載置板２４ａを固設させる簡易な構成であるため、第２具体例に係る荷物載置器具２４はコストの面でも好適である。
【００２８】
［第３具体例の荷物載置器具の構成］
図３は、本発明の実施形態に係る荷物載置器具の第３の具体例を示す図である。図３では、トイレブース３内の扉面３１及び壁面３２に設けられた施錠装置３３の周辺を拡大した図を簡易的に示している。
【００２９】
前述の第１具体例に係る施錠装置１３（図１参照）は、略直方体状のスライド部１３ａと断面コの字状のスライド受部１３ｂとを備えた構成であった。これに対し、図３に示す第３具体例に係る施錠装置３３は、略円柱状で軸方向に回転可能な差込部３３ｃが取り付けられた略直方体状のスライド部３３ａと、断面Ｃの字状で水平方向に開口したスライド受部３３ｂとを備えた構成である。
【００３０】
施錠装置３３は、扉面３１に配設される水平方向（図中横方向）にスライド可能なスライド部３３ａと、壁面３２に配設される断面Ｃの字状のスライド受部３３ｂとから構成される施錠装置である。なお、スライド部３３ａには、長軸方向周りに回転可能な略円柱状の差込部３３ｃが取り付けられている。
【００３１】
この施錠装置３３は、利用者がスライド部３３ａを横方向にスライドさせて差込部３３ｃをスライド受部３３ｂに差し込むことによって施錠され、差込部３３ｃをスライド受部３３ｂから抜き出すことによって解錠される。
【００３２】
第３具体例に係る荷物載置器具３４は、このような施錠装置３３（差込部３３ｃ）に一体化した態様で取付けられる平板状の荷物載置板３４ａを有する。荷物載置板３４ａは、例えばプラスチック等で形成された平板であり、その一部が差込部３３ｃに対して接着剤等により固設される。この荷物載置板３４ａは、約１ｋｇ程度の耐荷重を有することが好ましい。
【００３３】
利用者はトイレブース３を使用する際、当該荷物載置板３４ａの上に携帯電話や財布等の比較的小さい手荷物を載せることで、これらの手荷物が汚れてしまったり、誤ってトイレの便器に落下してしまったりするのを防止することができる。
【００３４】
また、このような荷物載置板３４ａは長軸方向周りに回転可能な差込部３３ｃに対して取付けられており、前述の通りスライド受部３３ｂは水平方向に開口している。そのため、利用者は荷物載置板３４ａを二点鎖線位置から実線位置（水平位置）に回転させて持ち上げた場合に限って差込部３３ｃをスライド受部３３ｂに差し込むことが可能となる。すなわち、施錠装置３３の施錠に伴って荷物載置板３４ａは荷物を載置可能な水平面を形成する位置に配置される。また、荷物載置板３４ａから荷物が取り除かれると、施錠装置３３の解錠が可能となる。
【００３５】
また、利用者はトイレブース３から出るために施錠装置３３を解錠する際、荷物載置板３４ａ上に載せられた手荷物を必ず確認することとなり、手荷物をトイレブース３内に忘れてしまうのを確実に防止することができる。
【００３６】
以上、本発明の一実施形態について説明したが、上記実施形態は本発明の適用例の一つを示したものであり、本発明の技術的範囲を上記実施形態の具体的構成に限定する趣旨ではない。
【００３７】
例えば、上記説明においては、施錠装置が第１の具体例に係る施錠装置１３、第２の具体例に係る施錠装置２３又は第３の具体例に係る施錠装置３３の場合について説明を行ってきたが、この場合に限定されるものではない。他の態様の施錠装置であってもよい。
【符号の説明】
【００３８】
１、２、３  トイレブース
１３、２３、３３  施錠装置
１４、２４、３４  荷物載置器具
１４ａ、２４ａ、３４ａ  荷物載置板
【図１】
2020204148.tif 000003
【図２】
2020204148.tif 000004
【図３】
2020204148.tif 000005